(57)【要約】本発明の対象は上部部分でコンクリート梁（１４）向けの型枠を形成可能なグリッド状の溝と、浮遊手段（１２）を貫通するコンクリート柱（１６）向け型枠を形成し得る井戸型とが含まれる浮遊手段１２の形成形を整えるための型枠内への鉄筋の配置ならびに周縁帯が形成されるための型枠の追加、ならびにコンクリートの打設からなる段階が含まれることを特徴とする浮遊可能な構造物骨組の製作方法である。【選択図】図２Ｂ
2008524474.tif 000002
【特許請求の範囲】
【請求項１】
浮遊手段（１２）を貫通するコンクリート柱部（１６）型枠が形成され得る井戸型とともに、上部部分にコンクリート梁部（１４）型枠が形成し得るグリッド状の溝が含まれる前記浮遊手段（１２）の形成、
・形を整えるための型枠内への鉄筋の配置および周縁帯部形成型枠の追加、
・コンクリートの打設
から構成される段階が含まれることを特徴とする浮遊可能な構造骨組の製作方法
【請求項２】
前記浮遊手段（１２）を貫通するコンクリート柱部（１６）型枠が形成され得る井戸型および上部部分のコンクリート梁部（１４）型枠が形成され得るグリッド状溝との前記浮遊手段（１２）形成用ユニット（３２）との一体組立
・形を整えるための、型枠内への鉄筋の配置および周縁帯部形成型枠の追加、ならびに
・コンクリートの打設
から構成される段階が含まれることを特徴とする請求項１に記載の骨組の製作方法
【請求項３】
前記浮遊手段（１２）を貫通するコンクリート柱部（１６）が形成され得る井戸型と合わせて上部部分のコンクリート梁部（１４）型枠が形成され得るグリッド状の溝が、該グリッド状のコンクリート梁部（１４）およびコンクリート柱部（１６）とともに含まれる浮遊手段（１２）が含まれることを特徴とする請求項１あるいは請求項２のいずれかに記載の方法から得られる浮遊可能な構造骨組
【請求項４】
グリッドが好ましくは等間隔である第1連続梁（１４）および該第1連続梁と直交する好ましくは等間隔である第2連続梁（１４）から構成されること、ならびに、柱（１６）が梁（１４）の交差部領域に配置されることを特徴とする請求項３に記載の構造骨組
【請求項５】
梁（１４）と柱（１６）とが相互に接合されると同時にアーチ状の内面を有することを特徴とする請求項４に記載の構造骨組
【請求項６】
柱（１６）の下部に浮遊手段（１２）の下面に比べて突出する緩衝手段（２０）が含まれることを特徴とする請求項３から請求項５までのいずれかの請求項に記載の構造骨組
【請求項７】
浮遊手段（１２）が複数ユニット（３２）の組立により製作されることを特徴とする請求項３から請求項６までのいずれかの請求項に記載の構造骨組
【請求項８】
組立ユニット（３２）固定用の組立手段（４６）が含まれることを特徴とする請求項７に記載の構造骨組
【請求項９】
杭の通行が可能となるよう骨組が溝をつけることが可能で、高さ方向に骨組を貫通する少なくとも1本の管路（６２）が含まれることを特徴とする請求項８に記載の構造骨組
【請求項１０】
各管路（６２）が該管路（６２）の境界を区切る好ましくは金属製の補強手段（６６）が含まれるユニット（６４）内に設置され、前記補強手段（６６）がグリッド状梁部（１４）に接合されることを特徴とする請求項９に記載の構造骨組
【請求項１１】
管路（６２）が含まれる1個あるいは複数のユニット（６４）が、鉛直中央面（６８）に関して対称な2個の半ユニット（６４．１、６４．２）からそれぞれ得られ、補強手段（６６）が各半ユニット（６４．１，６４．２）につき1部品の2部品から製作され、該補強手段（６６）により挿入部品が形成されることを特徴とする請求項１０に記載の構造骨組
【請求項１２】
各ユニット（３２）に、一方で、上面領域にユニットが正方形か長方形である時に好ましくはほぼ直交すると同時に中間位置にある梁（１４）型枠が形成され得る2本の溝（３４，３６）が、他方で、好ましくは溝（３４，３６）の交差部に配置される柱（１６）型枠が形成され得る井戸型（３８）が含まれることを特徴とする請求項３から請求項１１までのいずれかの請求項に記載の構造骨組
【請求項１３】
下面の形態と協働し得る形態の上面が含まれることを特徴とする請求項１２に記載の構造骨組
【請求項１４】
ユニットの圧縮力に対する強度補強用で下面の領域に姿を見せる、好ましくは４ヶ所、少なくとも1ヶ所のくり抜き部（４４）が含まれることを特徴とする請求項１２および請求項１３に記載の構造骨組
【請求項１５】
ユニットの横側仕切壁にユニットの圧縮強度補強用くり抜き部（４５）が含まれることを特徴とする請求項１２から請求項１４までのいずれかの請求項に記載の構造骨組
【請求項１６】
ユニットに、ユニット横側仕切壁領域で組立手段の通行を可能にする、高さ一杯に延びる鈎穴部（５４，５６）が含まれることを特徴とする請求項１２から請求項１５までのいずれかの請求項に記載の構造骨組
【発明の詳細な説明】
【技術分野】
【０００１】
本発明は構造用骨組中でも特に特許請求WO-03.031732.に説明される浮遊構造に適用される骨組の製作方法に関する。
【背景技術】
【０００２】
特許請求WO-03.031732により地面に支持される第1位置と浮遊する第2位置間を移動し得る構造が提案される。該文献によると、構造骨組は構造物から切り離された床が支持され得るグリッド構造が形成される、例えば亜鉛鍍金鋼製あるいはアルミ製の小梁から構成される。このグリッド構造は繰り返し荷重に対する安全の保証ならびにこの床面の平面維持のために必要とされる。
【０００３】
該骨組にはまた小梁により形成される金属構造のグリッド構造に閉じ込まれるケーソン形態の浮遊手段が含まれる。
【０００４】
たとえこの製作方式により構造物にふさわしい基礎部が手に入れられたとしても。次の理由で十分な満足が得られない。すなわち、まず第1の理由は、金属構造物は、特にWO-03.031732.の特許請求に説明されるような構造物用骨組として採用される場合には、耐食処理が施されなくてはならない。この処理により構造物のコストが増える方向に向かわざるを得ない。さらに、該用途を考慮すると、この表面処理により定期的なメンテナンスが必要となり傾向としてあまり良くない。
【０００５】
第2の理由は、構造物の組立工溶接による製作により多くの労働時間を必要とし構造物の原価が結局高くなる。この原価は鋼材の値段自体が相対的に高くなるほど高くなる。
【０００６】
おまけに、ケーソンの形態の浮遊手段をグリッド構造形態の金属構造物内部へ挿入するには、製作に相対的に時間がかかり複雑であって結局は骨組の原価が押し上げられてしまう。
【０００７】
つまるところ、浮遊手段と金属構造物との間に強度のある力学的結合が確保される必要があり、このような構造物の製作方法は複雑となりそれゆえまた費用も多くかかる。
【０００８】
本発明はまた構造物骨組、とりわけ特許請求WO-03.031732において説明されるような浮遊可能な構造物骨組の製作方法であって、製造費用の削減ならびに力学的見地から強度のある構造物の入手可能な容易な実施方法が提案されて、先行技術の欠点が緩和されることを目的とする。
【特許文献１】国際特許請求WO-03.031732.
【発明の開示】
【０００９】
このため、本発明は、
上部部分にコンクリート梁部向けの型枠が形成され得るグリッド状の溝ならびに前記浮遊手段を貫通するコンクリート柱部向けの型枠が形成され得る井戸型が含まれる浮遊手段の形成、
形を整えるための型枠内への鉄筋の配置および周縁帯部形成向け型枠の追加、
コンクリートの打設
からなる段階が含まれることを特徴とする浮遊可能な構造骨組の製作方法を目的とする。
【００１０】
本発明により前述の方法による前記骨組の完成に使用されるユニット同様の骨組もまた提案される。
【発明の最良の実施形態】
【００１１】
図１において、図には示されない構造物の付加が可能である骨組が１０で示された。この骨組１０は、なかでも特に、特許請求WO- 03.031732.に説明されるように第1の地面支持位置と第2の浮遊する位置の2ヶ所の位置間の可動構造物に応用される。いずれにしても、この骨組は地面以外の基礎が形成される骨組を必要とする別タイプの構造物に利用可能である。
【００１２】
本発明によると、骨組には、上部部分にコンクリート梁１４部向けの型枠が形成され得るグリッド状の溝、および前記浮遊手段１２を貫通するコンクリート柱１６部向けの型枠が形成され得る井戸型が含まれる浮遊手段１２が含まれる。この構成によるグリッド状の梁１４のおかげで強度のある床版あるいは構造用床板を受け得る骨組を支えることが可能となり、柱１６のおかげによってこの前記骨組は構造物により生ずる圧縮応力に抵抗可能となる。
【００１３】
図１に図示されるように、グリッドは好ましくは等間隔の第1連続梁と、第連続1梁と直交する好ましくは等間隔の第2連続梁から構成される。
【００１４】
梁群の断面、梁群の本数といった梁間の間隔は特に骨組１０に作用し得る荷重に応じて専門家により決定される。同様に、柱群の断面、これらの数およびこれらの配置も圧縮力に抵抗するよう専門家により決定される。
【００１５】
好ましくは、梁群１４および柱群１６には骨組の力学特性が上がるように配筋が含まれる。
【００１６】
柱群１６は梁群１４の交差部領域に配置される。
【００１７】
本発明の別の特徴によれば、梁群１４は柱群１６と相互に接合されると同時に、図２Ａおよび図２Ｂに示される通り前記梁群１４の力学特性が上がるようアーチ形状の下面を有するのが有利である。
【００１８】
好ましくは柱１６群の下部には浮遊手段１２の下面に比べて突出させた緩衝手段２０が含まれる。ある実施例によると、これらの緩衝手段２０は図７に示されるように柱が固定される井戸型の下部部分に配置されたゴム状の挿入材２２から得られる。各挿入材２２には上部部分に井戸型の下部部分に設けられる断面変化部に支持を取り得る組立接合縁が含まれる。この構成により地震時に骨組および構造物を地面とは切離して骨組ならびに構造物の強度を上げることが可能となる。この構成により骨組に耐震性能が与えられる。
【００１９】
本発明のその他の特徴によると、骨組１０にはその上部部分領域にある壁体補強金物が構成され得る鉄筋コンクリートの周縁帯２４が含まれる。ある好ましい実施例では、骨組にはその周囲に基本分岐部２８が浮遊手段１２に連結されるＵ字状の溝部の形をした型枠２６が含まれる。控え材３０がコンクリート打設時の溝部の変形が回避されるようＵ字状溝部の分岐の上部端部同士が接合されるように設置されるのが都合良い。控え材３０は周縁帯全体に割り付けられる。変型例類によると、型枠２６は浮遊手段１２に直接接合可能である、および／または控え材３０は、例えば、溶接によるとか、梁１４に設けられる鉄筋といった適当なあらゆる手段により接合可能である。
【００２０】
本発明の単純化された変型例によると、構造物用骨組の製作方法には以下からなる次の段階が含まれる。すなわち、
上部部分に、コンクリート梁１４向けの型枠が形成され得るグリッド状の溝および前記浮遊手段１２を貫通する、コンクリート柱１６部向けの型枠が形成され得る井戸型が含まれる浮動手段１２の形成
形が整えられるための型枠内の鉄筋の配置ならびに周縁帯部形成用型枠の追加
コンクリートの打設
である。
【００２１】
コンクリートの乾燥後にはコンクリート打設に利用される型枠により浮遊手段が形成される。井戸型に接合されるグリッド状梁群のおかげで、コンクリート部分と浮遊手段間の強固な力学的結合を得ることが可能である。この結合は例えば型枠が形成される浮遊手段の表面のざらつきを増やすといったあらゆる手段により補強可能である。
【００２２】
第1変型例によると、骨組１０には図１に示されるような上部部分にあるグリッド状の梁群しか含まれない。その他の変型例によると、骨組１０は下部部分に梁群１４および柱群１６が含まれるコンクリート床版により覆われる。
【００２３】
好ましい実施形態によると、浮遊手段１２が図２Ｂ、図３から図９に示されるような複数のユニット３２の組立により製作され、前記ユニットはプラスチック材料成型により製作される。単純化された変型によると、浮遊手段は図２Ａにより示されるように一続きで製作可能である。
【００２４】
実施例の形態によると、ほぼ平行六面体のユニット３２は高速回転成型から製作される。
【００２５】
ユニット３２の高さは骨組が特に浮動が可能であるよう骨組により支持される荷重に応じて調節される。変型例では、骨組の浮揚力が増えるようユニット３２の積層が可能である。このため、ユニットの上面は上部ユニットの下面と協働し得るよう適合される形態を有する。各ユニット３２にはその上面領域に2本の溝３４および３６が含まれ、梁１４向けの型枠が形成可能であって、前記溝３４および３６はほぼ直交すると同時にユニットが正方形あるいは長方形の形態の時に中央位置にあるのが好ましい。
【００２６】
補足として、ユニットには柱１６向けの型枠が形成され得る井戸型３８が含まれる。該井戸型３８は溝３４および３６の交差部に配置されるのが有利である。
【００２７】
溝３４および３６の底はユニットが図２Ｂに示されるように組立時にアーチが形成されるよう丸みを帯びかつ井戸型３８に向って傾斜しているのが好ましい。
【００２８】
ある変型例によると、実施方法は、図４に示されるように、コンクリート梁部１４向け型枠が形成され得る上部部分のグリッド状溝および前記浮遊手段１２を貫通するコンクリート柱部１６向けの型枠が形成され得る井戸型とともに浮遊手段１２が形成されるようユニット３２を組立てることからなる。
【００２９】
次いで、ユニットの組立時には、好ましくは型枠内への鉄筋や必要に応じた周縁帯が形成される型枠の形成といった追加が行われた後に、コンクリートの打設が可能である。
【００３０】
図３及び図５に示されるように、溝３４および３６によりユニットの上部部分に4個の区域４０が、上部ユニットの下面に設置される中空形態部と協働し得るそれぞれの突出形態部４２と共に定められる。生産性を上げるにはユニットすべては層がどのようなものであれ同一であることが有利である。このように、1個のユニットにも突出部品４２付きの上面ならびにその形態が突出部品４２のものに合わされる中空形態を伴う下面が含まれる。
【００３１】
もう1つの特徴によると、図６に示されるように、各ユニットには下部部分に少なくとも1ヵ所好ましくは各区域４０の領域における4ヶ所のくり抜き部４４が含まれる。これらのくり抜き部４４によりユニットの圧縮に対する強度が補強される。
【００３２】
ユニットの横側仕切壁にユニットの圧縮に対する強度の補強が可能となるくり抜き部４５もまた含まれると有利である
【００３３】
本発明のその他の特徴によると、骨組にはコンクリートの打設により乾燥時に別々のユニット３２の結合が可能となる組立手段４６が含まれる。これらの組立手段４６には各端部に鈎爪５０付きの軸４８が含まれる。軸の長さは、図８に示されるように第1鈎爪５０.１がユニットの下部に配置され、第2鈎爪５０.２がユニットの上部に配置されるように対処される。補完して、鈎爪５０がユニットに押し付けられると同時にコンクリートの打設までこれらの組立の維持のために前記ユニットが締付けられるよう少なくとも1個のナットが軸上に設けられ、ねじ山と協働するよう設置される。図８および図９に示されるように、鈎爪５０は前記ユニットがしっかり掴まれるようにユニットについて設けられる中空態部と必要に応じて協働し得る曲がった端部５２を有するのが好ましい。
【００３４】
変型例によると、骨組にユニットの複数の層が含まれる場合、軸４８は高さ一杯にわたり延びるかあるいは図9に示されるように、接合手段５３が異なる高さの軸の結合のために設置される。
【００３５】
軸４８は4個の隣接するユニットの接合領域の高さに配置されるのが都合良い。このため、ユニットには各隅の領域に横側仕切壁の高さ全体に渡り延びる4分の1円の鈎穴部５４が図５に示されるように含まれる。4個のユニットの組立時には、隣接する4分の1円の4本の鈎穴部５４により図４に示されるような軸４８が収納され得る管路５６が形成される。別の実施形態によると、4分の1円の鈎穴部５４に加えて、各ユニットには図4に示されるように、各横側仕切壁の領域に横側仕切壁の高さ全体にわたり延びる頂点に比べてずれた半円の2本の鈎穴部５８が含まれる。
2個のユニットの組立時には、半円の鈎穴部５８により軸４８が収納され得る管路６０が形成される。これらの鈎穴部５８により周囲に配置されるユニットの組立が容易となる。
【００３６】
骨組の実施方法は簡単でありかつ大きく単純化される。所望される骨組の外観と形態に応じた適正な数のユニット３２の組立だけで十分である。これらの組立固定のため、軸４８と鈎爪５０とが設置される。もし必要ならば、複数ユニットの層に加えた新たな層が同様に組立てられる
【００３７】
こうして、前述のように、上部層の領域に、図４に示されるようにコンクリート梁部１４向けの型枠が形成され得るグリッド状の溝前および記浮遊手段１２を貫通するコンクリート柱部１６向けの型枠が形成され得る井戸型が得られる。ユニット群はすべてが同一であってかつ上下に重ねて配置され、骨組の高さ一杯にわたり拡がる柱部１６向けの型枠の入手が可能となり各層の井戸型が協働する。
【００３８】
ユニットの組立時のコンクリートの打設はその後必要に応じて周囲の周縁帯が形成される型枠といった部型枠内の鉄筋が追加された後に可能となる。
【００３９】
本発明の方法によると、経済的に、構造に耐え得る骨組が得られる。
【００４０】
実際、ユニットは工業的に製作可能で製作原価が低減される。しかも、これらのユニットは現場で迅速に組立可能である。本発明による一様な複数のユニットが組立てられることによって様々なサイズと形態の骨組が入手可能である。支持する荷重に応じて単一あるいは複数ユニットの層が組立てられることによって骨組特性の強化が可能である。
【００４１】
後は、コンクリートの打設だけで良い。あとは乾燥するだけで骨組が得られる。
【００４２】
前述で示されたように、本発明から得られる骨組により、浮遊構造物の入手のために構造物の支持が可能で浮遊する骨組を得ることが可能となる。いずれにしても、本骨組は、特に、地盤から切り離される地盤以外の基礎の入手が所望される場合の例えば耐震構造物向けといったように、他の用途にも利用可能であろう。
【００４３】
骨組１２は特許請求WO-03.031732に説明されるような構造物に充てられると有利である。
【００４４】
この場合、骨組には水位の上昇時これに沿った骨組の滑動を可能にし、杭の通行ならびに骨組１２の浮動を可能にする、その高さにわたり骨組を貫通する少なくも1本の管路６２が含まれる。
【００４５】
骨組には該骨組１２の滑動が可能で、杭が入り得る複数の管路６２が含まれることが好ましい。
【００４６】
ある実施形態によると、各管路６２はユニット６４内に設置される。このユニット６４には、ユニットの補強かつ前記管路６２の変形の限定可能な管路６２が区画される好ましくは金属製の補強手段６６が含まれることが有利である。補強手段６６はグリッド状の梁１４に接合されることが好ましい。このように、これらはグリッド状のコンクリート梁内に少なくとも部分的に納められるかあるいはグリッド状の梁１４に使用される鉄筋に接合される。
【００４７】
好ましいある実施形態で図１０に示されるによると、1個あるいは複数ユニット６４が中間鉛直面６８に関して対称な2個の半ユニット６４.１および６４.２からそれぞれ得られる。この場合、補強手段６６はそれぞれ半ユニット６４.１および６４.２につき1部品の２つの部分から製作される。ある実施形態によると、これらの半ユニットは成型により製作され、補強手段６６は成型型内に組込まれると同時に成型材料内に部分的に埋められる挿入材を構成する。
【００４８】
補強手段６６には各半割の型枠につきＵ字形状の鉛直面に応じた断面を伴う架台７０が含まれ、前記架台７０は断面の組立工溶接組立により得られる。こうして各架台には、1個はユニットの上部面に配置されかつもう1個はユニットの下面に配置される2個のＵ型が含まれ、横架材によりこれらのＵ型分岐両端部の領域でかつ両側のＵ型基部で、図１１および図１２に示されるようＵ型が接合される。
【００４９】
半ユニットが相互に配置される場合、架台７０が相対して配置されると同時に、管路６２が図１０に示されるように形成される。力学的特性を向上させるために、補強手段６６に各半ユニット用のＵ型状架台および脇控え材７２が含まれるとともに、これらの半ユニットには隣接するユニットの溝の延長部にある溝７４が含まれ、前記脇控え材は前記溝７４の領域に配置される。この設置により、補強手段６６がグリッド状梁１４と接合可能となる。好ましいと同時に図１０および図１２により示されるある実施形態によると、主脇控え材７２はほぼ鉛直の面で架台７０のＵ型基部に直角に拡がって、残りの脇控え材７２は鉛直面でこれらの両端からＵ型分岐に直角に拡がって設置される。
【００５０】
前出のように、半ユニットは高速回転成型により製作されるのが好ましい。
【００５１】
これらは現場で組立手段４６により別のユニット３２に組立てられる。一旦組立てられると、ユニットにより、コンクリート梁部１４向けの型枠が形成され得る上部面領域のグリッド状溝と前記浮遊手段１２を貫通するコンクリート柱１６部向けの型枠が形成され得る井戸型とともに浮遊手段１２が形成される。
【００５２】
ユニットが組立てられた後、好ましくは周縁帯を形成する必要に応じて型枠とともに型枠内の鉄筋が追加されてからコンクリートの打設が可能となる。
【００５３】
この実施形態によると、脇控え材７２の一部はグリッド状梁１４内に埋められ、入手された骨組の力学的特性の向上に役立つ。
【００５４】
勿論、本発明は上記で示されかつ説明された実施形態に限定されないだけでなく、あらゆる変型例、特に骨組が形成される様々な寸法と材料に関するものも範囲に含まれるのは当然である。最後に、溝および井戸型内に打設されると同時に骨組の力学強度が確保されるコンクリートに代えてその他の材料も利用可能であり得る。
【図面の簡単な説明】
【００５５】
その他の特徴や利点は以下に続く本発明に関する説明、つまり、付録の図面に注目して例としてのみ与えられる説明から明確になろう。
すなわち、
【００５６】
【図１】本発明による骨組の透視図
【図２Ａ】第1変型実施例による骨組の断面図
【図２Ｂ】また別の変型実施例による骨組の断面図
【図３】ある骨組形成に使用されるユニットの透視図
【図４】ある骨組形成用組立ユニットの上面図
【図５】図３に示されたユニットの上面図
【図６】図５のＶＩ―ＶＩ断面、断面図
【図７】2個の組立ユニットが示される第1鉛直断面面による断面図
【図８】組立済ユニットが示される図
【図９】組立手段の詳細が示される図
【図１０】骨組に設置される誘導杭の通行を可能にする管路を取り囲むユニットが示される上面図
【図１１】杭の通行用に設置される補強材を構成する挿入材が設けられる半ユニットの詳細が示される側面図
【図１２】補強材を構成する挿入材が示される透視図
【図１】
2008524474.tif 000003
【図２Ａ】
2008524474.tif 000004
【図２Ｂ】
2008524474.tif 000005
【図３】
2008524474.tif 000006
【図４】
2008524474.tif 000007
【図５】
2008524474.tif 000008
【図６】
2008524474.tif 000009
【図７】
2008524474.tif 000010
【図８】
2008524474.tif 000011
【図９】
2008524474.tif 000012
【図１０】
2008524474.tif 000013
【図１１】
2008524474.tif 000014
【図１２】
2008524474.tif 000015
【国際調査報告】
2008524474.tif 000016
2008524474.tif 000017
2008524474.tif 000018
2008524474.tif 000019